(57)【要約】【課題】アンテナを介して信号を受信する装置の回路規模と装置間インタフェースの帯域との両方の抑制を可能にすること。【解決手段】本発明の第１の通信装置は、複数のアンテナを介して信号を受信する第２の通信装置から、上記複数のアンテナを介して受信される信号のチャネルに関するチャネル関連情報を受信する受信処理部と、上記複数のアンテナを介して受信される信号に上記第２の通信装置が乗算する受信アンテナ重みに関する重み情報であって、上記チャネル関連情報に基づいて生成される当該重み情報を、上記第２の通信装置へ送信する送信処理部と、を備える。【選択図】図９
2018173891.tif 000002
【特許請求の範囲】
【請求項１】
第１の通信装置であって、
複数のアンテナを介して信号を受信する第２の通信装置から、前記複数のアンテナを介して受信される信号のチャネルに関するチャネル関連情報を受信する受信処理部と、
前記複数のアンテナを介して受信される信号に前記第２の通信装置が乗算する受信アンテナ重みに関する重み情報であって、前記チャネル関連情報に基づいて生成される当該重み情報を、前記第２の通信装置へ送信する送信処理部と、
を備える第１の通信装置。
【請求項２】
前記重み情報は、前記受信アンテナ重みを示す情報である、請求項１に記載の第１の通信装置。
【請求項３】
前記重み情報は、前記受信アンテナ重みに含まれる個々の重みを示す情報を含む、請求項２に記載の第１の通信装置。
【請求項４】
前記受信アンテナ重みは、予め定められた複数の受信アンテナ重みセットに含まれる１つの受信アンテナ重みセットであり、
前記重み情報は、前記１つの受信アンテナ重みセットを示すインデックスである、
請求項２に記載の第１の通信装置。
【請求項５】
前記送信処理部は、前記重み情報と、前記受信アンテナ重みの使用に関する情報とを、前記第２の通信装置へ送信する、請求項１〜４のいずれか１項に記載の第１の通信装置。
【請求項６】
前記受信アンテナ重みの使用に関する前記情報は、前記受信アンテナ重みが使用される周波数に関する周波数情報を含む、請求項５に記載の第１の通信装置。
【請求項７】
前記周波数情報は、複数の周波数ブロックのうちの、前記受信アンテナ重みが使用される周波数ブロックを示す、請求項６に記載の第１の通信装置。
【請求項８】
前記周波数情報は、前記受信アンテナ重みの周波数分解能を示す、請求項６又は７に記載の第１の通信装置。
【請求項９】
前記チャネルは、端末装置と前記複数のアンテナとの間のチャネルであり、
前記受信アンテナ重みは、前記複数のアンテナを介して受信される前記端末装置からの信号に前記第２の通信装置が乗算する重みであり、
前記周波数情報は、前記端末装置に割り当てられる周波数に関する情報である、
請求項６〜８のいずれか１項に記載の第１の通信装置。
【請求項１０】
前記受信アンテナ重みの使用に関する前記情報は、前記受信アンテナ重みが使用される時間に関する時間情報を含む、請求項５に記載の第１の通信装置。
【請求項１１】
前記チャネルは、端末装置と前記複数のアンテナとの間のチャネルであり、
前記受信アンテナ重みは、前記複数のアンテナを介して受信される前記端末装置からの信号に前記第２の通信装置が乗算する重みであり、
前記時間情報は、前記端末装置に割り当てられる時間に関する情報である、
請求項１０に記載の第１の通信装置。
【請求項１２】
前記チャネル関連情報は、前記複数のアンテナを介して受信されるリファレンス信号である、請求項１〜１１のいずれか１項に記載の第１の通信装置。
【請求項１３】
前記チャネル関連情報は、前記複数のアンテナを介して受信されるリファレンス信号に基づくチャネル推定により前記第２の通信装置が算出するチャネル推定値である、請求項１〜１２のいずれか１項に記載の第１の通信装置。
【請求項１４】
前記リファレンス信号は、時間フレームの中の特定の期間に送信されるリファレンス信号である、請求項１２又は１３に記載の第１の通信装置。
【請求項１５】
前記時間フレームは、無線フレームであり、
前記特定の期間は、特定のシンボルである、
請求項１４に記載の第１の通信装置。
【請求項１６】
前記リファレンス信号は、ＳＲＳ（Sounding  Reference  Signal）又はＤＭＲＳ（Demodulation  Reference  Signal）である、請求項１２〜１５のいずれか１項に記載の第１の通信装置。
【請求項１７】
前記チャネル関連情報に基づいて前記重み情報を生成する生成部をさらに備える、請求項１〜１６のいずれか１項に記載の第１の通信装置。
【請求項１８】
前記複数のアンテナを介して受信される信号に前記第２の通信装置が前記受信アンテナ重みを乗算することにより生成される１つ以上のレイヤの信号についての復調及び復号を行う無線通信処理部をさらに備える、請求項１〜１７のいずれか１項に記載の第１の通信装置。
【請求項１９】
前記送信処理部は、前記複数のアンテナを介して送信する信号の生成のために前記第２の通信装置が使用する送信アンテナ重みに関する他の重み情報であって、前記チャネル関連情報に基づいて生成される当該他の重み情報を、前記第２の通信装置へ送信する、請求項１〜１８のいずれか１項に記載の第１の通信装置。
【請求項２０】
前記受信アンテナ重みは、前記複数のアンテナを介して送信する信号の生成のためにも前記第２の通信装置が使用するアンテナ重みである、請求項１〜１８のいずれか１項に記載の第１の通信装置。
【請求項２１】
前記第２の通信装置は、ＴＤＤ（Time  Division  Duplex）での通信を行う装置である、請求項１９又は２０に記載の第１の通信装置。
【請求項２２】
前記信号は、アップリンク信号である、請求項１〜２１のいずれか１項に記載の第１の通信装置。
【請求項２３】
前記第１の通信装置及び前記第２の通信装置の各々は、基地局を構成する複数の装置のうちの１つである、請求項１〜２２のいずれか１項に記載の第１の通信装置。
【請求項２４】
前記チャネルは、端末装置と前記複数のアンテナとの間のチャネルであり、
前記受信アンテナ重みは、前記複数のアンテナを介して受信される前記端末装置からの信号に前記第２の通信装置が乗算する重みである、
請求項１〜２３のいずれか１項に記載の第１の通信装置。
【請求項２５】
前記複数のアンテナの各々は、多素子アンテナに含まれるアンテナ素子である、請求項１〜２４のいずれか１項に記載の第１の通信装置。
【請求項２６】
上記多素子アンテナは、マッシブＭＩＭＯ（Massive  Multiple-Input  and  Multiple-Output）用のアンテナである、請求項２５に記載の第１の通信装置。
【請求項２７】
前記送信処理部は、通信回線を介して前記第２の通信装置から前記チャネル関連情報を受信し、
前記受信処理部は、前記通信回線を介して前記第２の通信装置へ前記重み情報を送信する、
請求項１〜２６のいずれか１項に記載の第１の通信装置。
【請求項２８】
前記通信回線は、光ファイバ回線である、請求項２７に記載の第１の通信装置。
【請求項２９】
前記第２の通信装置は、前記第１の通信装置とは物理的に分離された装置である、請求項１〜２８のいずれか１項に記載の第１の通信装置。
【請求項３０】
前記第２の通信装置は、前記複数のアンテナに接続される装置であり、
前記第１の通信装置は、前記第２の通信装置に接続される装置である、
請求項１〜２９のいずれか１項に記載の第１の通信装置。
【請求項３１】
前記第１の通信装置は、屋内に設置される装置であり、
前記第２の通信装置は、屋外に設置される装置である、
請求項１〜３０のいずれか１項に記載の第１の通信装置。
【請求項３２】
第２の通信装置であって、
複数のアンテナを介して信号を受信する無線通信処理部と、
前記複数のアンテナを介して受信される信号のチャネルに関するチャネル関連情報を第１の通信装置へ送信する送信処理部と、
受信アンテナ重みに関する重み情報であって、前記チャネル関連情報に基づいて生成される当該重み情報を、前記第１の通信装置から受信する受信処理部と、
を備え、
前記無線通信処理部は、前記複数のアンテナを介して受信される信号に前記受信アンテナ重みを乗算する、
第２の通信装置。
【請求項３３】
複数のアンテナを介して信号を受信する通信装置から、前記複数のアンテナを介して受信される信号のチャネルに関するチャネル関連情報を受信することと、
前記複数のアンテナを介して受信される信号に前記通信装置が乗算する受信アンテナ重みに関する重み情報であって、前記チャネル関連情報に基づいて生成される当該重み情報を、前記通信装置へ送信することと、
を含む方法。
【請求項３４】
複数のアンテナを介して信号を受信することと、
前記複数のアンテナを介して受信される信号のチャネルに関するチャネル関連情報を通信装置へ送信することと、
受信アンテナ重みに関する重み情報であって、前記チャネル関連情報に基づいて生成される当該重み情報を、前記通信装置から受信することと、
前記複数のアンテナを介して受信される信号に前記受信アンテナ重みを乗算することと、
を含む方法。
【請求項３５】
複数のアンテナを介して信号を受信する通信装置から、前記複数のアンテナを介して受信される信号のチャネルに関するチャネル関連情報を受信することと、
前記複数のアンテナを介して受信される信号に前記通信装置が乗算する受信アンテナ重みに関する重み情報であって、前記チャネル関連情報に基づいて生成される当該重み情報を、前記通信装置へ送信することと、
をプロセッサに実行させるプログラム。
【請求項３６】
複数のアンテナを介して信号を受信することと、
前記複数のアンテナを介して受信される信号のチャネルに関するチャネル関連情報を通信装置へ送信することと、
受信アンテナ重みに関する重み情報であって、前記チャネル関連情報に基づいて生成される当該重み情報を、前記通信装置から受信することと、
前記複数のアンテナを介して受信される信号に前記受信アンテナ重みを乗算することと、
をプロセッサに実行させるプログラム。
【請求項３７】
複数のアンテナを介して信号を受信する通信装置から、前記複数のアンテナを介して受信される信号のチャネルに関するチャネル関連情報を受信することと、
前記複数のアンテナを介して受信される信号に前記通信装置が乗算する受信アンテナ重みに関する重み情報であって、前記チャネル関連情報に基づいて生成される当該重み情報を、前記通信装置へ送信することと、
をプロセッサに実行させるプログラムを記録したコンピュータに読み取り可能な非一時的記録媒体。
【請求項３８】
複数のアンテナを介して信号を受信することと、
前記複数のアンテナを介して受信される信号のチャネルに関するチャネル関連情報を通信装置へ送信することと、
受信アンテナ重みに関する重み情報であって、前記チャネル関連情報に基づいて生成される当該重み情報を、前記通信装置から受信することと、
前記複数のアンテナを介して受信される信号に前記受信アンテナ重みを乗算することと、
をプロセッサに実行させるプログラムを記録したコンピュータに読み取り可能な非一時的記録媒体。
【請求項３９】
第１の通信装置と、
第２の通信装置と、
を含み、
前記第２の通信装置は、
複数のアンテナを介して信号を受信し、
前記複数のアンテナを介して受信される信号のチャネルに関するチャネル関連情報を前記第１の通信装置へ送信し、
前記第１の通信装置は、
前記第２の通信装置から前記チャネル関連情報を受信し、
受信アンテナ重みに関する重み情報であって、前記チャネル関連情報に基づいて生成される当該重み情報を、前記第２の通信装置へ送信し、
前記第２の通信装置は、
前記重み情報を前記第１の通信装置から受信し、
前記複数のアンテナを介して受信される信号に前記受信アンテナ重みを乗算する、
システム。
【請求項４０】
第２の通信装置において、
複数のアンテナを介して信号を受信することと、
前記複数のアンテナを介して受信される信号のチャネルに関するチャネル関連情報を第１の通信装置へ送信することと、
前記第１の通信装置において、
前記第２の通信装置から前記チャネル関連情報を受信することと、
受信アンテナ重みに関する重み情報であって、前記チャネル関連情報に基づいて生成される当該重み情報を、前記第２の通信装置へ送信することと、
前記第２の通信装置において、
前記重み情報を前記第１の通信装置から受信することと、
前記複数のアンテナを介して受信される信号に前記受信アンテナ重みを乗算することと、
を含む方法。
【発明の詳細な説明】
【技術分野】
【０００１】
本発明は、第１の通信装置、第２の通信装置、方法、プログラム、記録媒体及びシステムに関する。
【背景技術】
【０００２】
モバイル通信の高度化が進むにつれて、使用可能な周波数帯域の拡大以上に、データ伝送速度の高速化が進んでいる。そのため、周波数あたりのデータ伝送速度を高速化できる、多素子アンテナを用いたビームフォーミングが、有力な方式として考えられている。当該ビームフォーミングでは、多素子アンテナに含まれる各アンテナ素子の受信信号から得られるチャネル推定値に基づいて、受信（及び送信）のためのビームが形成される。【０００３】
例えば、特許文献１には、基地局が、送信ビームフォーミング重みを決定し、送信ビームフォーミングを行い、端末装置が、受信ビームフォーミング重みを決定し、受信ビームフォーミングを行うことが、記載されている。例えば、特許文献２には、端末装置が、基地局からのリファレンス信号に基づいて送信アンテナ重み及び受信アンテナ重みを決定し、これらの重みに関する情報を上記基地局に報告することが、記載されている。特許文献３には、ＲＲＵ（Remote  Radio  Unit）とＢＢＵ（Base  Band  Unit）とに分離された基地局の構造の例が記載されている。
【先行技術文献】
【特許文献】
【０００４】
【特許文献１】国際公開第２０１６／１５２９１６号
【特許文献２】国際公開第２０１６／２０７９２９号
【特許文献３】米国特許出願公開第２０１４／０２２６７３６号明細書
【発明の概要】
【発明が解決しようとする課題】
【０００５】
例えば特許文献３に記載されているように、基地局は、アンテナを介して信号を受信する装置（例えばＲＲＵ）及び他の装置（例えばＢＢＵ）等に分離され得る。このような場合に、例えば、チャネル推定、アンテナ重みの生成、及びアンテナ重みの乗算等の処理をどちらの装置が行うかということが、上記装置（例えばＲＲＵ）の回路規模と、装置間インタフェースの帯域とに影響し得る。しかしながら、特許文献３では、これらの処理をどちらの装置が行うかは検討されていない。そのため、特許文献３に記載された技術では、上記装置の回路規模と装置間インタフェースの帯域との両方を抑制することはできない。【０００６】
本発明の目的は、アンテナを介して信号を受信する装置の回路規模と装置間インタフェースの帯域との両方の抑制を可能にする第１の通信装置及び第２の通信装置を提供することにある。
【課題を解決するための手段】
【０００７】
本発明の一態様（aspect）に係る第１の通信装置は、複数のアンテナを介して信号を受信する第２の通信装置から、上記複数のアンテナを介して受信される信号のチャネルに関するチャネル関連情報を受信する受信処理部と、上記複数のアンテナを介して受信される信号に上記第２の通信装置が乗算する受信アンテナ重みに関する重み情報であって、上記チャネル関連情報に基づいて生成される当該重み情報を、上記第２の通信装置へ送信する送信処理部と、を備える。【０００８】
本発明の一態様に係る第２の通信装置は、複数のアンテナを介して信号を受信する無線通信処理部と、上記複数のアンテナを介して受信される信号のチャネルに関するチャネル関連情報を第１の通信装置へ送信する送信処理部と、受信アンテナ重みに関する重み情報であって、上記チャネル関連情報に基づいて生成される当該重み情報を、上記第１の通信装置から受信する受信処理部と、を備え、上記無線通信処理部は、上記複数のアンテナを介して受信される信号に上記受信アンテナ重みを乗算する。【０００９】
本発明の一態様に係る第１の方法は、複数のアンテナを介して信号を受信する通信装置から、上記複数のアンテナを介して受信される信号のチャネルに関するチャネル関連情報を受信することと、上記複数のアンテナを介して受信される信号に上記通信装置が乗算する受信アンテナ重みに関する重み情報であって、上記チャネル関連情報に基づいて生成される当該重み情報を、上記通信装置へ送信することと、を含む。【００１０】
本発明の一態様に係る第２の方法は、複数のアンテナを介して信号を受信することと、上記複数のアンテナを介して受信される信号のチャネルに関するチャネル関連情報を通信装置へ送信することと、受信アンテナ重みに関する重み情報であって、上記チャネル関連情報に基づいて生成される当該重み情報を、上記通信装置から受信することと、上記複数のアンテナを介して受信される信号に上記受信アンテナ重みを乗算することと、を含む。【００１１】
本発明の一態様に係る第１のプログラムは、複数のアンテナを介して信号を受信する通信装置から、上記複数のアンテナを介して受信される信号のチャネルに関するチャネル関連情報を受信することと、上記複数のアンテナを介して受信される信号に上記通信装置が乗算する受信アンテナ重みに関する重み情報であって、上記チャネル関連情報に基づいて生成される当該重み情報を、上記通信装置へ送信することと、をプロセッサに実行させるプログラムである。【００１２】
本発明の一態様に係る第２のプログラムは、複数のアンテナを介して信号を受信することと、上記複数のアンテナを介して受信される信号のチャネルに関するチャネル関連情報を通信装置へ送信することと、受信アンテナ重みに関する重み情報であって、上記チャネル関連情報に基づいて生成される当該重み情報を、上記通信装置から受信することと、上記複数のアンテナを介して受信される信号に上記受信アンテナ重みを乗算することと、をプロセッサに実行させるプログラムである。【００１３】
本発明の一態様に係る第１の記録媒体は、複数のアンテナを介して信号を受信する通信装置から、上記複数のアンテナを介して受信される信号のチャネルに関するチャネル関連情報を受信することと、上記複数のアンテナを介して受信される信号に上記通信装置が乗算する受信アンテナ重みに関する重み情報であって、上記チャネル関連情報に基づいて生成される当該重み情報を、上記通信装置へ送信することと、をプロセッサに実行させるプログラムを記録したコンピュータに読み取り可能な非一時的記録媒体である。【００１４】
本発明の一態様に係る第２の記録媒体は、複数のアンテナを介して信号を受信することと、上記複数のアンテナを介して受信される信号のチャネルに関するチャネル関連情報を通信装置へ送信することと、受信アンテナ重みに関する重み情報であって、上記チャネル関連情報に基づいて生成される当該重み情報を、上記通信装置から受信することと、上記複数のアンテナを介して受信される信号に上記受信アンテナ重みを乗算することと、をプロセッサに実行させるプログラムを記録したコンピュータに読み取り可能な非一時的記録媒体である。【００１５】
本発明の一態様に係るシステムは、第１の通信装置と、第２の通信装置と、を含み、上記第２の通信装置は、複数のアンテナを介して信号を受信し、上記複数のアンテナを介して受信される信号のチャネルに関するチャネル関連情報を上記第１の通信装置へ送信し、上記第１の通信装置は、上記第２の通信装置から上記チャネル関連情報を受信し、受信アンテナ重みに関する重み情報であって、上記チャネル関連情報に基づいて生成される当該重み情報を、上記第２の通信装置へ送信し、上記第２の通信装置は、上記重み情報を上記第１の通信装置から受信し、上記複数のアンテナを介して受信される信号に上記受信アンテナ重みを乗算する。【００１６】
本発明の一態様に係る第３の方法は、第２の通信装置において、複数のアンテナを介して信号を受信することと、上記複数のアンテナを介して受信される信号のチャネルに関するチャネル関連情報を第１の通信装置へ送信することと、上記第１の通信装置において、上記第２の通信装置から上記チャネル関連情報を受信することと、受信アンテナ重みに関する重み情報であって、上記チャネル関連情報に基づいて生成される当該重み情報を、上記第２の通信装置へ送信することと、上記第２の通信装置において、上記重み情報を上記第１の通信装置から受信することと、上記複数のアンテナを介して受信される信号に上記受信アンテナ重みを乗算することと、を含む。
【発明の効果】
【００１７】
本発明によれば、アンテナを介して信号を受信する装置の回路規模と装置間インタフェースの帯域との両方の抑制が可能になる。なお、本発明により、当該効果の代わりに、又は当該効果とともに、他の効果が奏されてもよい。
【図面の簡単な説明】
【００１８】
【図１】多素子アンテナを使用する基地局の構成の例を説明するための説明図である。
【図２】基地局の第１の処理配置ケースを説明するための説明図である。
【図３】基地局の第２の処理配置ケースを説明するための説明図である。
【図４】第１の実施形態に係るシステムの概略的な構成の一例を示す説明図である。
【図５】第１の実施形態に係る基地局の概略的な構成の一例を示す説明図である。
【図６】第１の実施形態に係るデジタル装置の概略的な構成の例を示すブロック図である。
【図７】第１の実施形態に係る無線装置の概略的な構成の例を示すブロック図である。
【図８】第１の実施形態の無線通信処理の概略的な例を説明するための説明図である。
【図９】第１の実施形態のチャネル推定及び重み情報生成の第１の例を説明するための説明図である。
【図１０】第１の実施形態のリファレンス信号の例を説明するための説明図である。
【図１１】第１の実施形態のリファレンス信号の送信の例を説明するための説明図である。
【図１２】第１の実施形態のチャネル推定及び重み情報生成の第２の例を説明するための説明図である。
【図１３】第１の実施形態に係る無線通信処理の概略的な流れの例を説明するためのシーケンス図である。
【図１４】第１の実施形態に係るチャネル関連情報及び重み情報の送受信の処理の概略的な流れの例を説明するためのシーケンス図である。
【図１５】第２の実施形態に係るシステムの概略的な構成の一例を示す説明図である。
【図１６】第２の実施形態に係る第１の通信装置の概略的な構成の例を示すブロック図である。
【図１７】第２の実施形態に係る第２の通信装置の概略的な構成の例を示すブロック図である。
【発明を実施するための形態】
【００１９】
以下、添付の図面を参照して本発明の実施形態を詳細に説明する。なお、本明細書及び図面において、同様に説明されることが可能な要素については、同一の符号を付することにより重複説明が省略され得る。
【００２０】
説明は、以下の順序で行われる。
１．関連技術
２．実施形態の概要
３．第１の実施形態
３．１．システムの構成
３．２．デジタル装置の構成
３．３．無線装置の構成
３．４．技術的特徴
３．５．変形例
４．第２の実施形態
４．１．システムの構成
４．２．第１の通信装置の構成
４．３．第２の通信装置の構成
４．４．技術的特徴
【００２１】
＜＜１．関連技術＞＞
まず、図１〜図３を参照して、関連技術を説明する。なお、当然ながら、ここで説明する関連技術も本発明の実施形態に含まれ得る。
【００２２】
−多素子アンテナを使用する基地局の構成の例
図１は、多素子アンテナを使用する基地局５０の構成の例を説明するための説明図である。
【００２３】
−−受信処理
多素子アンテナに含まれるＮ個のアンテナ素子５１の無線受信信号（Ｎ系列の無線受信信号）は、送受信部５３により、時間軸上のＮ系列の受信ベースバンド信号に変換され、さらに、ＦＦＴ（Fast  Fourier  Transform）部５５により、周波数軸上のＮ系列の受信信号に変換される。さらに、当該Ｎ系列の受信信号は、アンテナ重み乗算部５７により、Ｍ行Ｎ列の受信アンテナ重み行列と乗算される。その結果、Ｍ系列の受信信号（即ち、Ｍレイヤの受信信号）が出力される。当該Ｍ系列の受信信号は、復調部５９により復調され、さらに復号部６１により復号される。
【００２４】
また、チャネル推定部６３は、ＦＦＴ部５５の出力である上記Ｎ系列の受信信号に含まれるリファレンス信号に基づいて、チャネル推定を行う。これにより、Ｎ系列のチャネル推定値が生成され、出力される。さらに、アンテナ重み生成部６５は、当該Ｎ系列のチャネル推定値に基づいて、Ｍ行Ｎ列の受信アンテナ重み行列を生成する。そして、当該受信アンテナ重み行列は、上述したようにアンテナ重み乗算部５７により使用される。なお、アンテナ重み生成部６５は、上記Ｎ系列のチャネル推定値に基づいて、Ｎ行Ｌ列の送信アンテナ重み行列も生成してもよい。
【００２５】
−−送信処理
送信信号は、まず符号化部７１により符号化され、その後、変調部７３により変調される。その結果、上記送信信号は、Ｌ系列の送信信号（Ｌレイヤの送信信号）となる。当該Ｌ系列の送信信号は、アンテナ重み乗算部７５によりＮ行Ｌ列の送信アンテナ重み行列と乗算され、周波数軸上のＮ系列の送信信号となる。周波数軸上の当該Ｎ系列の送信信号は、ＩＦＦＴ（Inverse  Fast  Fourier  Transform）部７７により、時間軸上のＮ系列のベースバンド信号に変換され、さらに、送受信部５３により、Ｎ系列の無線送信信号に変換される。そして、当該Ｎ系列の無線送信信号が、多素子アンテナに含まれるＮ個のアンテナ素子から送信される。
【００２６】
−基地局における処理配置
実際の運用では、図１の例における基地局５０は、例えば、送受信部５３を含む無線装置と、復調部５９、復号部６１、符号化部７１及び変調部７３を含むデジタル装置とに分割される。例えば、上記無線装置は上記多素子アンテナの直近に配置され、上記デジタル装置は屋内の局舎に配置され、上記無線装置と上記デジタル装置とは光ファイバケーブルで互いに接続される。
【００２７】
ここで、アンテナ重み乗算部５７、７５及びアンテナ重み生成部６５がデジタル装置に配置されるケース（第１の処理配置ケース）と、アンテナ重み乗算部５７、７５及びアンテナ重み生成部６５が無線装置に配置されるケース（第２の処理配置ケース）とが考えられる。
【００２８】
−−第１の処理配置ケース
図２は、基地局５０の第１の処理配置ケースを説明するための説明図である。この例では、アンテナ重み乗算部５７、７５、チャネル推定部６３及びアンテナ重み生成部６５は、無線装置８０ではなくデジタル装置９０に配置される。
【００２９】
第１の処理配置ケースでは、無線装置８０の回路規模は小さく、無線装置８０の小型軽量化がより容易である。しかし、このケースでは、無線装置８０とデジタル装置９０との間には、受信と送信との各々についてＮ系列の信号用のインタフェース（即ちＮ個のインタフェース）が必要になる。そのため、アンテナ素子数Ｎが非常に大きい場合には、無線装置８０とデジタル装置９０との間に非常に大きな帯域が必要になる。
【００３０】
−−第２の処理配置ケース
図３は、基地局５０の第２の処理配置ケースを説明するための説明図である。この例では、アンテナ重み乗算部５７、７５、チャネル推定部６３及びアンテナ重み生成部６５は、デジタル装置９０ではなく無線装置８０に配置される。
【００３１】
第２の処理配置ケースでは、無線装置８０とデジタル装置９０との間には、受信についてＭ系列の信号用のインタフェース（即ちＭ個のインタフェース）、及び、送信についてＬ系列の信号用のインタフェース（即ちＭ個のインタフェース）が必要になるにすぎない。そのため、アンテナ素子数Ｎが非常に大きい場合でも、無線装置８０とデジタル装置９０との間にはそれほど大きな帯域は必要ない。しかし、チャネル推定及びアンテナ重みの生成（特に後者）は複雑で特殊な処理であるため、無線装置８０の回路規模は大きくなり、無線装置８０の小型軽量化が困難である。さらに、チャネル推定及びアンテナ重みの生成は、ユーザ（端末装置）毎の処理となるので、無線装置８０がユーザ（端末装置）を意識して処理を行うことが必要になる。
【００３２】
上述した点を鑑みると、アンテナを介して信号を受信する装置（無線装置）の回路規模と装置間インタフェース（無線装置とデジタル装置との間のインタフェース）の帯域との両方の抑制を可能にすることが望まれる。
【００３３】
＜＜２．実施形態の概要＞＞
本発明の実施形態（以下、本実施形態と呼ぶ）では、無線装置は、複数のアンテナ（例えば多素子アンテナに含まれる複数のアンテナ素子）を介して信号を受信する。さらに、とりわけ本実施形態では、当該無線装置が、上記複数のアンテナを介して受信される信号に受信アンテナ重みを乗算する。
【００３４】
また、とりわけ本実施形態では、上記無線装置は、上記複数のアンテナを介して受信される信号のチャネルに関するチャネル関連情報をデジタル装置へ送信し、当該デジタル装置は、当該チャネル関連情報を受信する。そして、上記チャネル関連情報に基づいて、受信アンテナ重みに関する重み情報が生成される。さらに、上記デジタル装置は、上記重み情報を上記無線装置へ送信し、上記無線装置は、上記重み情報を受信する。その後、上記無線装置は、上記複数のアンテナを介して受信される信号に上記受信アンテナ重みを乗算する。
【００３５】
これにより、例えば、無線装置の回路規模と、当該無線装置とデジタル装置との間のインタフェースの帯域との両方が、抑えられ得る。
【００３６】
なお、上述した技術的特徴は本実施形態の具体的な一例であり、当然ながら、本実施形態は上述した技術的特徴に限定されない。
【００３７】
＜＜３．第１の実施形態＞＞
続いて、図４〜図１３を参照して、本発明の第１の実施形態を説明する。
【００３８】
＜３．１．システムの構成＞
まず、図４及び図５を参照して、第１の実施形態に係るシステム１の構成の例を説明する。図４は、第１の実施形態に係るシステム１の概略的な構成の一例を示す説明図である。図４を参照すると、システム１は、基地局１０及び端末装置４０を含む。
【００３９】
例えば、システム１は、３ＧＰＰ（Third  Generation  Partnership  Project）の規格（standard）に準拠したシステムである。より具体的には、システム１は、ＬＴＥ／ＬＴＥ−Ａｄｖａｎｃｅｄ及び／又はＳＡＥ（System  Architecture  Evolution）に準拠したシステムであってもよい。あるいは、システム１は、第５世代（５Ｇ）の規格に準拠したシステムであってもよい。当然ながら、システム１は、これらの例に限定されない。
【００４０】
（１）基地局１０
基地局１０は、無線アクセスネットワーク（Radio  Access  Network：ＲＡＮ）のノードであり、カバレッジエリア内に位置する端末装置（例えば、端末装置４０）との無線通信を行う。
【００４１】
−基地局１０の具体的な例
基地局１０は、端末装置との無線通信を行うノードであり、換言すると無線アクセスネットワーク（Radio  Access  Network：ＲＡＮ）のノードである。例えば、基地局１０は、ｅＮＢ（evolved  Node  B）であってもよく、又は、５ＧにおけるｇＮＢ（generation  Node  B）であってもよい。基地局１０は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central  Unit：ＣＵ）と呼ばれてもよく、上記第２のユニットは、分散ユニット（Distributed  Unit：ＤＵ）又はアクセスユニット（Access  Unit：ＡＵ）と呼ばれてもよい。別の例として、上記第１ユニットは、デジタルユニット（Digital  Unit：ＤＵ）と呼ばれてもよく、上記第２ユニットは、無線ユニット（Radio  Unit：ＲＵ）又はリモートユニット（Remote  Unit：ＲＵ）と呼ばれてもよい。上記ＤＵ（Digital  Unit）は、ＢＢＵ（Base  Band  Unit）であってもよく、上記ＲＵは、ＲＲＨ（Remote  Radio  Head）又はＲＲＵ（Remote  Radio  Unit）であってもよい。当然ながら、上記第１ユニット（又は第１のノード）及び上記第２ユニット（又は第２のノード）の呼称は、この例に限定されない。あるいは、基地局１０は、単一のユニット（又は単一のノード）であってもよい。この場合に、基地局１０は、上記複数のユニットのうちの１つ（例えば、上記第２ユニット）であってもよく、上記複数のユニットのうちの他のユニット（例えば、上記第１ユニット）と接続されていてもよい。
【００４２】
−基地局１０の構成
図５は、第１の実施形態に係る基地局１０の概略的な構成の一例を示す説明図である。図５を参照すると、基地局１０は、デジタル装置１００、無線装置２００、及び、複数のアンテナ３００を含む。例えば、基地局１０は、Ｎ個のアンテナ３００を含む。
【００４３】
−−デジタル装置１００及び無線装置２００
デジタル装置１００及び無線装置２００の各々は、基地局１０を構成する複数の装置のうちの１つである。基地局１０は、デジタル装置１００及び無線装置２００（並びに複数のアンテナ３００）以外の他の装置（図示せず）をさらに含んでもよい。
【００４４】
無線装置２００は、デジタル装置１００とは物理的に分離された装置である。無線装置２００は、複数のアンテナ３００に接続され、デジタル装置１００は、無線装置２００に接続される。デジタル装置１００と無線装置２００とは、通信回線２１により互いに接続される。デジタル装置１００は、通信回線２１を介して無線装置２００から情報を受信し、通信回線２１を介して無線装置２００へ情報を送信する。例えば、通信回線２１は、光ファイバ回線である。また、例えば、デジタル装置１００は屋内に設置され、無線装置２００は屋外に設置される。
【００４５】
上述したように基地局１０が上記第１のユニット及び上記第２のユニットを含む場合に、デジタル装置１００は上記第１のユニット（例えば、ＤＵ（Digital  Unit）又はＢＢＵ）であってもよく、無線装置２００は上記第２のユニット（例えば、ＲＵ（Remote/Radio  Unit）、ＲＲＨ又はＲＲＵ）であってもよい。あるいは、デジタル装置１００及び無線装置２００は、上記第２のユニット（例えばＤＵ（Distributed  Unit））に含まれる装置であってもよい。
【００４６】
なお、デジタル装置１００は、デジタル信号の処理を行うのでデジタル装置と呼ばれるが、より一般的には通信装置と言える。また、無線装置２００は、後述するように無線信号の処理を行うので無線装置と呼ばれるが、より一般的には通信装置と言える。当然ながら、無線装置２００は、無線信号の処理のみではなく、デジタル信号の処理も行い得る。ここでは、第１の実施形態の理解を容易にするために、通信装置ではなく、デジタル装置及び無線装置という呼称を使用する。
【００４７】
−−複数のアンテナ３００
例えば、上記複数のアンテナ３００の各々は、多素子アンテナに含まれるアンテナ素子である。例えば、当該多素子アンテナは、マッシブＭＩＭＯ（Massive  Multiple-Input  and  Multiple-Output）用のアンテナである。
【００４８】
（２）端末装置４０
端末装置４０は、基地局との無線通信を行う。例えば、端末装置４０は、基地局１０のカバレッジエリア内に位置する場合に、基地局１０との無線通信を行う。例えば、端末装置４０は、ユーザ装置（User  Equipment：ＵＥ）、ユーザ端末又は移動局と呼ばれ得る。
【００４９】
図５には１つの端末装置４０のみが記載されているが、当然ながら、複数の端末装置４０が存在してもよい。
【００５０】
＜３．２．デジタル装置の構成＞
次に、図６を参照して、第１の実施形態に係るデジタル装置１００の構成の例を説明する。図６は、第１の実施形態に係るデジタル装置１００の概略的な構成の例を示すブロック図である。図６を参照すると、デジタル装置１００は、インタフェース１１０、記憶部１２０及び処理部１３０を備える。
【００５１】
（１）インタフェース１１０
インタフェース１１０は、無線装置２００との通信のためのインタフェースである。換言すると、インタフェース１１０は、デジタル装置１００と無線装置２００とを接続する通信回線２１（例えば光ファイバ回線）用のインタフェースである。インタフェース１１０は、無線装置２００からの信号を受信し、無線装置２００への信号を送信する。
【００５２】
（２）記憶部１２０
記憶部１２０は、デジタル装置１００の動作のためのプログラム（命令）及びパラメータ、並びに様々なデータを、一時的に又は恒久的に記憶する。当該プログラムは、デジタル装置１００の動作のための１つ以上の命令を含む。
【００５３】
（３）処理部１３０
処理部１３０は、デジタル装置１００の様々な機能を提供する。処理部１３０は、無線通信処理部１３１、受信処理部１３３、生成部１３５及び送信処理部１３７を含む。なお、処理部１４０は、これらの構成要素以外の他の構成要素をさらに含み得る。即ち、処理部１４０は、これらの構成要素の動作以外の動作も行い得る。無線通信処理部１３１、受信処理部１３３、生成部１３５及び送信処理部１３７の具体的な動作は、後に詳細に説明する。
【００５４】
例えば、処理部１３０は、インタフェース１１０を介して無線装置２００と通信する。
【００５５】
（４）実装例
インタフェース１１０は、変換器（例えば、Ｏ／Ｅ（Optical/Electrical）変換器及び／又はＥ／Ｏ（Electrical/Optical）変換器）等により実装されてもよい。記憶部１２０は、メモリ（例えば、不揮発性メモリ及び／若しくは揮発性メモリ）並びに／又はハードディスク等により実装されてもよい。処理部１３０は、ベースバンド（Baseband：ＢＢ）プロセッサ及び／又は他の種類のプロセッサ等の１つ以上のプロセッサにより実装されてもよい。無線通信処理部１３１、受信処理部１３３、生成部１３５及び送信処理部１３７は、同一のプロセッサにより実装されてもよく、別々に異なるプロセッサにより実装されてもよい。上記メモリ（記憶部１２０）は、上記１つ以上のプロセッサ内に含まれていてもよく、又は、上記１つ以上のプロセッサ外にあってもよい。
【００５６】
デジタル装置１００は、プログラム（命令）を記憶するメモリと、当該プログラム（命令）を実行可能な１つ以上のプロセッサとを含んでもよい。当該１つ以上のプロセッサは、上記プログラムを実行して、処理部１３０の動作（無線通信処理部１３１、受信処理部１３３、生成部１３５及び／又は送信処理部１３７の動作）を行ってもよい。上記プログラムは、処理部１３０の動作（無線通信処理部１３１、受信処理部１３３、生成部１３５及び／又は送信処理部１３７の動作）をプロセッサに実行させるためのプログラムであってもよい。
【００５７】
＜３．３．無線装置の構成＞
次に、図７を参照して、第１の実施形態に係る無線装置２００の構成の例を説明する。図７は、第１の実施形態に係る無線装置２００の概略的な構成の例を示すブロック図である。図７を参照すると、無線装置２００は、第１インタフェース２１０、第２インタフェース２２０、記憶部２３０及び処理部２４０を備える。
【００５８】
（１）第１インタフェース２１０
第１インタフェース２１０は、上記複数のアンテナ３００を介した無線通信のためのインタフェースである。第１インタフェース２１０は、上記複数のアンテナ３００から無線信号を受信し、上記複数のアンテナ３００へ無線信号を送信する。
【００５９】
（２）第２インタフェース２２０
第２インタフェース２２０は、デジタル装置１００との通信のためのインタフェースである。換言すると、第２インタフェース２２０は、デジタル装置１００と無線装置２００とを接続する通信回線２１（例えば光ファイバ回線）用のインタフェースである。第２インタフェース２２０は、デジタル装置１００からの信号を受信し、デジタル装置１００への信号を送信する。
【００６０】
（３）記憶部２３０
記憶部２３０は、無線装置２００の動作のためのプログラム（命令）及びパラメータ、並びに様々なデータを、一時的に又は恒久的に記憶する。当該プログラムは、無線装置２００の動作のための１つ以上の命令を含む。
【００６１】
（４）処理部２４０
処理部２４０は、無線装置２００の様々な機能を提供する。処理部２４０は、無線通信処理部２４１、送信処理部２４３及び受信処理部２４５を含む。なお、処理部２４０は、これらの構成要素以外の他の構成要素をさらに含み得る。即ち、処理部２４０は、これらの構成要素の動作以外の動作も行い得る。無線通信処理部２４１、送信処理部２４３及び受信処理部２４５の具体的な動作は、後に詳細に説明する。
【００６２】
例えば、処理部２４０は、第２インタフェース２２０を介してデジタル装置１００と通信する。また、処理部２４０（無線通信処理部２４１）は、第１インタフェース２１０を介して（その結果上記複数のアンテナ３００を介して）無線信号を送受信する。
【００６３】
（５）実装例
第１インタフェース２１０は、高周波（Radio  Frequency：ＲＦ）回路及びＡ／Ｄ変換器等により実装されてもよい。第２インタフェース２２０は、変換器（例えば、Ｏ／Ｅ変換器及び／又はＥ／Ｏ変換器）等により実装されてもよい。記憶部２３０は、メモリ（例えば、不揮発性メモリ及び／若しくは揮発性メモリ）並びに／又はハードディスク等により実装されてもよい。処理部２４０は、ＢＢプロセッサ及び／又は他の種類のプロセッサ等の１つ以上のプロセッサにより実装されてもよい。無線通信処理部２４１、送信処理部２４３及び受信処理部２４５は、同一のプロセッサにより実装されてもよく、別々に異なるプロセッサにより実装されてもよい。上記メモリ（記憶部２３０）は、上記１つ以上のプロセッサ内に含まれていてもよく、又は、上記１つ以上のプロセッサ外にあってもよい。
【００６４】
無線装置２００は、プログラム（命令）を記憶するメモリと、当該プログラム（命令）を実行可能な１つ以上のプロセッサとを含んでもよい。当該１つ以上のプロセッサは、上記プログラムを実行して、処理部２４０の動作（無線通信処理部２４１、送信処理部２４３及び／又は受信処理部２４５の動作）を行ってもよい。上記プログラムは、処理部１３０の動作（無線通信処理部２４１、送信処理部２４３及び／又は受信処理部２４５の動作）をプロセッサに実行させるためのプログラムであってもよい。
【００６５】
＜３．４．技術的特徴＞
次に、図８〜図１４を参照して、第１の実施形態の技術的特徴を説明する。
【００６６】
（１）無線通信処理
−受信処理
無線装置２００（第１インタフェース２１０及び無線通信処理部２４１）は、複数のアンテナ３００を介して信号を受信する。さらに、とりわけ第１の実施形態では、無線装置２００（無線通信処理部２４１）は、上記複数のアンテナ３００を介して受信される信号に受信アンテナ重みを乗算する。当該受信アンテナ重みは、例えば、（受信）ビームフォーミング重み（即ち、受信側でビームフォーミングを行うための重み）とも言える。
【００６７】
例えば、デジタル装置１００（無線通信処理部１３１）は、上記複数のアンテナ３００を介して受信される信号に無線装置２００が上記受信アンテナ重みを乗算することにより生成される１つ以上のレイヤの信号についての復調及び復号を行う。
【００６８】
図８を参照して、デジタル装置１００及び無線装置２００の受信処理の例を説明する。図８は、第１の実施形態の無線通信処理の概略的な例を説明するための説明図である。
【００６９】
無線装置２００（送受信部４０１）は、上記複数のアンテナ３００（Ｎ個のアンテナ３００）の無線受信信号（Ｎ系列の無線受信信号）を、時間軸上のＮ系列の受信ベースバンド信号に変換する。そして、無線装置２００（ＦＦＴ部４０３）は、ＦＦＴにより、時間軸上の上記Ｎ系列の受信ベースバンド信号を、周波数軸上のＮ系列の受信信号に変換する。さらに、無線装置２００（アンテナ重み乗算部４０５）は、周波数軸上の当該Ｎ系列の受信信号を、Ｍ行Ｎ列の受信アンテナ重み行列（Ｍが１の場合にはベクトル）と乗算する。その結果、Ｍ系列の受信信号（即ち、Ｍレイヤの受信信号）が出力され、デジタル装置１００へ送信される。
【００７０】
例えば以上のように、無線装置２００からデジタル装置１００へ送信される信号は、Ｎ系列の受信信号ではなく、Ｍ系列の受信信号（Ｍレイヤの受信信号）である。そのため、たとえアンテナ数Ｎが大きくなったとしても、デジタル装置１００と無線装置２００との間のインタフェースの帯域が抑えられ得る。
【００７１】
デジタル装置１００（復調部４０７及び復号部４０９）は、上記Ｍ系列の受信信号（即ち、Ｍレイヤの受信信号）を復調し、復号する。例えば、復号後の情報は、デジタル装置１００から他の装置へ送信され、当該他の装置により処理される。あるいは、復号後の情報は、デジタル装置１００によりさらに処理されてもよい。
【００７２】
なお、例えば、図８の送受信部４０１は、図７の第１インタフェース２１０に含まれ、図８のＦＦＴ部４０３及びアンテナ重み乗算部４０５は、図７の無線通信処理部２４１に含まれる。また、例えば、図８の復調部４０７及び復号部４０９は、図６の無線通信処理部１３１に含まれる。
【００７３】
例えば以上のように、デジタル装置１００及び無線装置２００は、物理レイヤ（Physical  Layer）（レイヤ１とも呼ばれる）の受信処理を行う。即ち、無線装置２００が物理レイヤの一部の受信処理を行い、デジタル装置１００が物理レイヤの残りの受信処理を行う。
【００７４】
−送信処理
例えば、デジタル装置１００（無線通信処理部１３１）は、符号化及び変調を行い、１つ以上のレイヤの信号を生成する。
【００７５】
例えば、とりわけ第１の実施形態では、無線装置２００（無線通信処理部２４１）は、上記１つ以上のレイヤの信号に送信アンテナ重みを乗算する。さらに、無線装置２００（第１インタフェース２１０及び無線通信処理部２４１）は、上記送信アンテナ重みの乗算により生成された信号を、上記複数のアンテナ３００を介して送信する。当該送信アンテナ重みは、例えば、（送信）ビームフォーミング重み（即ち、送信側でビームフォーミングを行うための重み）とも言える。
【００７６】
図８を再び参照すると、デジタル装置１００（符号化部４２１及び変調部４２３）は、送信信号を符号化し、変調する。その結果、Ｌ系列の送信信号（Ｌレイヤの送信信号）が出力され、無線装置２００へ送信される。
【００７７】
無線装置２００（アンテナ重み乗算部４２５）は、上記Ｌ系列の送信信号に、Ｎ行Ｌ列の送信アンテナ重み行列を乗算し、それにより周波数軸上のＮ系列の送信信号を生成する。そして、無線装置２００（ＩＦＦＴ部４２７）は、ＩＦＦＴにより、周波数軸上の上記Ｎ系列の送信信号を、時間軸上のＮ系列のベースバンド信号に変換する。さらに、無線装置２００（送受信部４０１）は、時間軸上の当該Ｎ系列のベースバンド信号を、Ｎ系列の無線送信信号に変換する。そして、当該Ｎ系列の無線送信信号が、上記複数のアンテナ３００（Ｎ個のアンテナ３００）から送信される。
【００７８】
例えば以上のように、デジタル装置１００から無線装置２００へ送信される信号は、Ｎ系列の受信信号ではなく、Ｌ系列の受信信号（Ｌレイヤの受信信号）である。そのため、たとえアンテナ数Ｎが大きくなったとしても、デジタル装置１００と無線装置２００との間のインタフェースの帯域が抑えられ得る。
【００７９】
なお、例えば、図８の符号化部４２１及び変調部４２３は、図６の無線通信処理部１３１に含まれる。例えば、図８のアンテナ重み乗算部４２５及びＩＦＦＴ部４２７は、図７の無線通信処理部２４１に含まれ、図８の送受信部４０１は、図７の第１インタフェース２１０に含まれる。
【００８０】
例えば以上のように、デジタル装置１００及び無線装置２００は、物理レイヤ（レイヤ１とも呼ばれる）の送信処理を行う。即ち、無線装置２００が物理レイヤの一部の送信処理を行い、デジタル装置１００が物理レイヤの残りの送信処理を行う。
【００８１】
（２）受信アンテナ重み
とりわけ第１の実施形態では、無線装置２００（送信処理部２４３）は、上記複数のアンテナ３００を介して受信される信号のチャネルに関するチャネル関連情報をデジタル装置１００へ送信する。デジタル装置１００（受信処理部１３３）は、無線装置２００から当該チャネル関連情報を受信する。
【００８２】
例えば、デジタル装置１００（生成部１３５）は、上記チャネル関連情報に基づいて、受信アンテナ重みに関する重み情報を生成する。
【００８３】
さらに、デジタル装置１００（送信処理部１３７）は、上記重み情報を無線装置２００へ送信する。無線装置２００（受信処理部２４５）は、上記重み情報をデジタル装置１００から受信する。
【００８４】
その後、無線装置２００（無線通信処理部２４１）は、上記複数のアンテナ３００を介して受信される信号に上記受信アンテナ重みを乗算する。
【００８５】
（２−１）信号
上記複数のアンテナ３００を介して受信される上記信号は、アップリンク信号（即ち、端末装置４０から基地局１０へ送信される信号）である。
【００８６】
（２−２）チャネル関連情報
−チャネル
例えば、上記チャネルは、端末装置４０と上記複数のアンテナ３００との間のチャネルである。
【００８７】
−第１の例：リファレンス信号
例えば、上記チャネル関連情報は、上記複数のアンテナ３００を介して受信されるリファレンス信号である。即ち、無線装置２００（送信処理部２４３）は、当該リファレンス信号をデジタル装置１００へ送信する。上記リファレンス信号は、上記チャネルのチャネル推定に用いられる情報である。
【００８８】
この場合には、デジタル装置１００（生成部１３５）が、上記リファレンス信号に基づいてチャネル推定を行い、チャネル推定値を算出する。そして、デジタル装置１００（生成部１３５）は、当該チャネル推定値に基づいて、上記重み情報を生成する。
【００８９】
図９を参照して、チャネル推定及び重み情報生成の第１の例を説明する。図９は、第１の実施形態のチャネル推定及び重み情報生成の第１の例を説明するための説明図である。図９を参照すると、無線装置２００（送信処理部２４３）は、ＦＦＴ部４０３の出力（周波数軸上のＮ系列の受信信号）のうちのリファレンス信号（Ｎ系列のリファレンス信号）を、デジタル装置１００へ送信し、デジタル装置１００（受信処理部１３３）は、当該リファレンス信号を受信する。そして、デジタル装置１００（チャネル推定部４１１：生成部１３５）は、上記リファレンス信号に基づいてチャネル推定を行うことによりチャネル推定値（Ｎ系列のチャネル推定値）を算出する。さらに、デジタル装置１００（アンテナ重み生成部４１３：生成部１３５）は、上記チャネル推定値に基づいて、受信アンテナ重み（Ｍ行Ｎ列の受信アンテナ重み行列）を算出し、当該受信アンテナ重みに関する重み情報を生成する。デジタル装置１００（送信処理部１３７）は、当該重み情報を無線装置２００へ送信し、無線装置２００（受信処理部２４５）は、当該重み情報を受信する。その後、無線装置２００（無線通信処理部２４１）は、上記複数のアンテナ３００を介して受信される信号に乗算する重みとして、上記受信アンテナ重みを設定する。これにより、無線装置２００（無線通信処理部２４１）は、上記複数のアンテナ３００を介して受信される信号に上記受信アンテナ重みを乗算するようになる。
【００９０】
この例によれば、アンテナ重み生成部４１３のみではなく、チャネル推定部４１１も、無線装置２００には含まれず、デジタル装置１００に含まれる。そのため、無線装置２００の回路規模がより小さくなり得る。
【００９１】
上記リファレンス信号は、例えば、時間フレームの中の特定の期間に送信されるリファレンス信号である。図１０は、第１の実施形態のリファレンス信号の例を説明するための説明図である。図１０を参照すると、繰り返される時間フレーム１００１と、時間フレーム１００１内の特定の期間１００３とが示されている。例えば、特定の期間１００３内でリファレンス信号１０１１が送信される。例えば、リファレンス信号１０１１の信号パターンは、全帯域で一定であり、各ユーザ（各端末装置）は、全帯域のうちの割り当てられた帯域でリファレンス信号を送信する。これにより、例えば、無線装置２００からデジタル装置１００へのリファレンス信号の送信が容易になる。より具体的には、例えば、無線装置２００は、ユーザ（端末装置）ごとの情報を保持していなくても、受信信号の中からリファレンス信号のみを抽出し、当該リファレンス信号をデジタル装置１００へ送信することができる。なお、特定の期間１００３は、例えば図１０に示されるように時間フレーム１００１の最後に位置するが、この例に限定されない。例えば、特定の期間１００３は、時間フレーム１００１の最初に位置してもよく、時間フレーム１００１の最初と最後以外に位置してもよい。また、特定の期間１００３は、図１０に示されるように１つの連続する期間であってもよく、又は、２つ以上の分散した期間であってもよい。
【００９２】
一例として、上記時間フレームは、無線フレームであり、上記特定の期間は、特定のシンボルである。即ち、上記リファレンス信号は、無線フレームの中の特定のシンボルで送信される。なお、例えば、１つの無線フレームは、所定数のサブフレームを含み、１つのサブフレームは、所定数のシンボルを含む。なお、上記時間フレーム及び上記特定の期間はこの例に限定されない。
【００９３】
例えば、上記リファレンス信号は、ＳＲＳ（Sounding  Reference  Signal）である。あるいは、上記リファレンス信号は、ＤＭＲＳ（Demodulation  Reference  Signal）であってもよい。
【００９４】
なお、基地局１０（デジタル装置１００及び無線装置２００）は、ＴＤＤ（Time  Division  Duplex）での通信を行ってもよい。この場合に、例えば、図１１に示されるように、リファレンス信号１０１１は、無線装置２００からデジタル装置１００へ送信されてもよい。具体的には、無線装置２００は、受信期間１０２１（即ちアップリンク期間）内では、無線受信信号として、リファレンス信号１０１１及び他の信号１０１３（データ信号及び制御信号等）を受信するが、送信期間１０２３（即ちダウンリンク期間）内では、信号を受信しない。そのため、図１１に示されるように、無線装置２００は、例えば、受信期間１０２１内で上記他の信号（Ｍ系列の信号）をデジタル装置１００へ送信し、後続の送信期間１０２３（及び受信期間１０２１の一部）内で上記リファレンス信号（Ｎ系列の信号）をデジタル装置１００へ送信してもよい。
【００９５】
−第２の例：チャネル推定値
上記チャネル関連情報は、上記複数のアンテナ３００を介して受信されるリファレンス信号に基づくチャネル推定により無線装置２００が算出するチャネル推定値であってもよい。即ち、無線装置２００は、上記リファレンス信号に基づいてチャネル推定を行うことによりチャネル推定値を算出し、当該チャネル推定値をデジタル装置１００へ送信してもよい。
【００９６】
図１２を参照して、チャネル推定及び重み情報生成の第２の例を説明する。図１２は、第１の実施形態のチャネル推定及び重み情報生成の第２の例を説明するための説明図である。図１２を参照すると、無線装置２００（チャネル推定部４１１：無線通信処理部２４１）は、ＦＦＴ部４０３の出力（周波数軸上のＮ系列の受信信号）のうちのリファレンス信号（Ｎ系列のリファレンス信号）に基づいてチャネル推定を行うことにより、チャネル推定値（Ｎ系列のチャネル推定値）を算出する。そして、無線装置２００（送信処理部２４３）は、当該チャネル推定値をデジタル装置１００へ送信し、デジタル装置１００（受信処理部１３３）は、当該チャネル推定値を受信する。さらに、デジタル装置１００（アンテナ重み生成部４１３：生成部１３５）は、上記チャネル推定値に基づいて、受信アンテナ重み（Ｍ行Ｎ列の受信アンテナ重み行列）を算出し、当該受信アンテナ重みに関する重み情報を生成する。その後の処理は図９の例と同じであるため、ここでは重複する説明を省略する。
【００９７】
この例によれば、無線装置２００からデジタル装置１００へ送信されるのは、リファレンス信号そのものではなくチャネル推定値である。例えば、チャネル推定値のデータ量は、周波数軸上でのチャネル推定値の平均化等により圧縮され得る。そのため、無線装置２００とデジタル装置１００との間のインタフェースの帯域がさらに抑えられ得る。
【００９８】
（２−３）重み情報
上述したように、上記重み情報は、上記受信アンテナ重みに関する重み情報である。例えば、上記重み情報は、上記受信アンテナ重みを示す情報である。
【００９９】
また、上述したように、上記受信アンテナ重みは、上記複数のアンテナ３００を介して受信される信号に無線装置２００が乗算する重みである。例えば、上記受信アンテナ重みは、上記複数のアンテナを介して受信される端末装置４０からの信号に無線装置２００が乗算する重みである。
【０１００】
例えば上述したように、上記受信アンテナ重みは、Ｍ行Ｎ列の受信アンテナ重み行列（Ｍが１の場合にはベクトル）である。この場合に、上記重み情報は、当該Ｍ行Ｎ列の受信アンテナ重み行列を示す情報である。
【０１０１】
第１の例として、上記重み情報は、上記受信アンテナ重みに含まれる個々の重みを示す情報を含む。具体的には、例えば、上記受信アンテナ重みは、Ｍ行Ｎ列の受信アンテナ重み行列であり、上記重み情報は、当該受信アンテナ重み行列に含まれる個々の要素（重み）を示す情報を含む。即ち、上記重み情報は、Ｍ×Ｎの要素の各々を示す情報を含む。これにより、例えば、より柔軟に受信アンテナ重みを設定することが可能になる。
【０１０２】
第２の例として、上記受信アンテナ重みは、予め定められた複数の受信アンテナ重みセットに含まれる１つの受信アンテナ重みセットであってもよく、上記重み情報は、当該１つの受信アンテナ重みセットを示すインデックスであってもよい。具体的には、例えば、複数の受信アンテナ重みセットと、当該複数の受信アンテナ重みセットの各々を示すインデックスが、コードブックとして予め定義されてもよく、上記重み情報は、当該コードブック内の１つの受信アンテナ重みセットを示すインデックスであってもよい。これにより、例えば、重み情報の情報量がより小さくなる。
【０１０３】
（２−４）受信アンテナ重みの使用に関する情報
例えば、デジタル装置１００（送信処理部１３７）は、上記重み情報と、上記受信アンテナ重みの使用に関する情報（以下、「使用情報」と呼ぶ）とを、無線装置２００へ送信する。これにより、例えば、無線装置２００は、上記受信アンテナ重みの乗算を実際に行うことが可能になる。
【０１０４】
−周波数情報
例えば、上記使用情報は、上記受信アンテナ重みが使用される周波数に関する周波数情報を含む。例えば、上記受信アンテナ重みが使用される当該周波数は、端末装置４０に割り当てられる周波数である。即ち、上記周波数情報は、端末装置４０に割り当てられる周波数に関する情報である。
【０１０５】
例えば、上記周波数情報は、複数の周波数ブロックのうちの、上記受信アンテナ重みが使用される周波数ブロックを示す。換言すると、上記周波数情報は、上記複数のアンテナ重みを乗算すべき信号が送信される周波数ブロックを示す。上記周波数情報は、１つの周波数ブロックを示してもよく、又は複数の周波数ブロックを示してもよい。例えば、上記周波数ブロックは、リソースブロック（又はリソースブロックグループ）である。
【０１０６】
さらに／あるいは、上記周波数情報は、上記受信アンテナ重みの周波数分解能を示してもよい。換言すると、上記周波数情報は、上記受信アンテナ重みが使用される周波数の幅（単位幅）を示してもよい。
【０１０７】
このような周波数情報により、例えば、無線装置２００は、どの周波数で送信される信号に上記受信アンテナ重みを乗算すればよいかを知ることが可能になる。
【０１０８】
−時間情報
例えば、上記使用情報は、上記受信アンテナ重みが使用される時間に関する時間情報を含む。例えば、上記受信アンテナ重みが使用される当該時間は、端末装置４０に割り当てられる時間である。即ち、上記時間情報は、端末装置４０に割り当てられる時間に関する情報である。
【０１０９】
例えば、上記時間情報は、上記受信アンテナ重みが使用される期間を示す。換言すると、上記時間情報は、上記複数のアンテナ重みを乗算すべき信号が送信される期間を示す。当該期間は、サブフレームであってもよく、又はスロットであってもよい。しかしながら、当該期間はこれらの例に限定されない。
【０１１０】
このような時間情報により、例えば、無線装置２００は、いつ送信される信号に上記受信アンテナ重みを乗算すればよいかを知ることが可能になる。
【０１１１】
上記周波数情報及び上記時間情報は、上記受信アンテナ重みが使用される無線リソースに関する無線リソース情報（リソース割当情報又はスケジューリング情報とも呼ばれ得る）であってもよい。
【０１１２】
以上のように、無線装置２００は上記チャネル関連情報をデジタル装置１００へ送信し、デジタル装置１００は、上記チャネル関連情報に基づいて、上記受信アンテナ重みに関する上記重み情報を生成し、上記重み情報を無線装置２００へ送信する。そして、無線装置２００は、上記複数のアンテナ３００を介して受信される信号に上記受信アンテナ重みを乗算する。このように、上記重み情報の生成（上記受信アンテナ重みの算出）は、無線装置２００ではなくデジタル装置１００により行われるので、無線装置２００の回路規模が抑えられ得る。
【０１１３】
（３）処理の流れ
−無線通信処理
図１３を参照して、第１の実施形態に係る無線通信処理の例を説明する。図１３は、第１の実施形態に係る無線通信処理の概略的な流れの例を説明するためのシーケンス図である。
【０１１４】
無線装置２００は、複数のアンテナ３００を介して信号を受信する（Ｓ５０１）。
【０１１５】
無線装置２００は、上記複数のアンテナ３００を介して受信される信号に受信アンテナ重みを乗算する（Ｓ５０３）。これにより、例えば、１つ以上のレイヤの信号が生成される。
【０１１６】
無線装置２００は、上記１つ以上のレイヤの信号をデジタル装置１００へ送信する（Ｓ５０５）。
【０１１７】
デジタル装置１００は、上記１つ以上のレイヤの信号についての復調及び復号を行う（Ｓ５０７）。
【０１１８】
−チャネル関連情報及び重み情報の送受信
図１４を参照して、第１の実施形態に係るチャネル関連情報及び重み情報の送受信の処理の例を説明する。図１４は、第１の実施形態に係るチャネル関連情報及び重み情報の送受信の処理の概略的な流れの例を説明するためのシーケンス図である。
【０１１９】
無線装置２００は、複数のアンテナ３００を介して信号を受信する（Ｓ５２１）。
【０１２０】
無線装置２００は、上記複数のアンテナ３００を介して受信される信号のチャネルに関するチャネル関連情報をデジタル装置１００へ送信し、デジタル装置１００は、当該チャネル関連情報を受信する（Ｓ５２３）。
【０１２１】
デジタル装置１００は、上記チャネル関連情報に基づいて、受信アンテナ重みに関する重み情報を生成する（Ｓ５２５）。
【０１２２】
デジタル装置１００は、上記重み情報を無線装置２００へ送信し、無線装置２００は、上記重み情報を受信する（Ｓ５２７）。
【０１２３】
無線装置２００は、上記複数のアンテナ３００を介して受信される信号に乗算する重みとして、上記受信アンテナ重みを設定する（Ｓ５２９）。
【０１２４】
＜３．５．変形例＞
上述したように、第１の実施形態では、デジタル装置１００（送信処理部１３７）は、
複数のアンテナ３００を介して受信される信号に無線装置２００が乗算する受信アンテナ重みに関する重み情報を無線装置２００へ送信する。無線装置２００（受信処理部２４５）は、上記重み情報をデジタル装置１００から受信する。
【０１２５】
−第１の例
第１の実施形態の変形例では、例えば、デジタル装置１００（送信処理部１３７）は、上記複数のアンテナ３００を介して送信する信号の生成のために無線装置２００が使用する送信アンテナ重みに関する他の重み情報も、無線装置２００へ送信してもよい。そして、無線装置２００（受信処理部２４５）は、上記他の重み情報をデジタル装置１００から受信してもよい。例えば、デジタル装置１００（生成部１３５）は、上記チャネル関連情報に基づいて、上記他の情報を生成してもよい。
【０１２６】
上記送信アンテナ重みは、Ｎ行Ｌ列の送信アンテナ重み行列（Ｌが１の場合にはベクトル）であってもよい。
【０１２７】
上記送信アンテナ重みに関する上記他の重み情報は、上記受信アンテナ重みに関する上記重み情報と同じ形式の情報であってもよい。
【０１２８】
無線装置２００（無線通信処理部２４１）は、上記他の重み情報に基づいて、上記送信アンテナ重みを設定してもよい。そして、無線装置２００（無線通信処理部２４１）は、１つ以上のレイヤの信号（例えばＬレイヤの信号）に上記送信アンテナ重みを乗算することにより、上記複数のアンテナ３００を介して送信する信号を生成してもよい。
【０１２９】
−第２の例
あるいは、上記受信アンテナ重みは、上記複数のアンテナを介して送信する信号の生成のためにも無線装置２００が使用するアンテナ重みであってもよい。即ち、受信アンテナ重みと送信アンテナ重みとが同じものであってもよい。例えば、送信レイヤ数Ｌと受信レイヤ数Ｍが同一である場合に、このように受信アンテナ重みと送信アンテナ重みとが同じものであってもよい。
【０１３０】
上記第１の例か上記第２の例かによらず、とりわけ第１の変形例では、基地局１０（デジタル装置１００及び無線装置２００）は、ＴＤＤでの通信を行ってもよい。
【０１３１】
以上、第１の実施形態を説明した。第１の実施形態によれば、無線装置２００の回路規模と、無線装置２００とデジタル装置１００との間のインタフェースの帯域との両方が、抑えられ得る。
【０１３２】
＜＜４．第２の実施形態＞＞
続いて、図１５〜図１７を参照して、本発明の第２の実施形態を説明する。上述した第１の実施形態は、具体的な実施形態であるが、第２の実施形態は、より一般化された実施形態である。
【０１３３】
＜４．１．システムの構成＞
まず、図１５を参照して、第２の実施形態に係るシステム２の構成の例を説明する。図１５は、第２の実施形態に係るシステム２の概略的な構成の一例を示す説明図である。図１５を参照すると、システム２は、第１の通信装置６００、第２の通信装置７００及び複数のアンテナ８００を含む。
【０１３４】
例えば、システム２は、基地局である。当該基地局についての説明は、例えば、第１の実施形態の基地局１０についての説明と同じである。よって、ここでは重複する説明を省略する。
【０１３５】
−第１の通信装置６００及び第２の通信装置７００
例えば、第１の通信装置６００及び第２の通信装置７００の各々は、基地局を構成する複数の装置のうちの１つである。システム２（基地局）は、第１の通信装置６００及び第２の通信装置７００（並びに複数のアンテナ８００）以外の他の装置（図示せず）をさらに含んでもよい。
【０１３６】
第２の通信装置７００は、第１の通信装置６００とは物理的に分離された装置である。例えば、第２の通信装置７００は、複数のアンテナ８００に接続され、第１の通信装置６００は、第２の通信装置７００に接続される。例えば、第１の通信装置６００と第２の通信装置７００とは、通信回線２３により互いに接続される。第１の通信装置６００は、通信回線２３を介して第２の通信装置７００から情報を受信し、通信回線２３を介して第２の通信装置７００へ情報を送信する。例えば、通信回線２３は、光ファイバ回線（光ファイバケーブル）である。また、例えば、第１の通信装置６００は屋内に設置され、第２の通信装置７００は屋外に設置される。
【０１３７】
上記基地局（システム２）が上記第１のユニット及び上記第２のユニット（第１の実施形態を参照）を含む場合に、第１の通信装置６００は上記第１のユニット（例えば、ＤＵ（Digital  Unit）又はＢＢＵ）であってもよく、第２の通信装置７００は上記第２のユニット（例えば、ＲＵ（Remote/Radio  Unit）、ＲＲＨ又はＲＲＵ）であってもよい。あるいは、第１の通信装置６００及び第２の通信装置７００は、上記第２のユニット（例えばＤＵ（Distributed  Unit））に含まれる装置であってもよい。
【０１３８】
−−複数のアンテナ８００
例えば、上記複数のアンテナ８００の各々は、多素子アンテナに含まれるアンテナ素子である。例えば、当該多素子アンテナは、マッシブＭＩＭＯ用のアンテナである。
【０１３９】
以上、システム２の構成を説明した。一例として、第１の通信装置６００は、第１の実施形態のデジタル装置１００であってもよく、第２の通信装置７００は、第１の実施形態の無線装置２００であってもよく、上記複数のアンテナ８００は、第１の実施形態の複数のアンテナ３００であってもよい。当然ながら、第２の実施形態はこの例に限定されない。一例として、第１の通信装置６００は、第１の実施形態のデジタル装置１００に含まれる装置（部品／モジュール）であってもよく、第２の通信装置７００は、第１の実施形態の無線装置２００に含まれる装置（部品／モジュール）であってもよい。別の例として、第２の通信装置７００は、無線装置であるが、第１の通信装置６００は、デジタル装置とは別の第３の装置であってもよい。
【０１４０】
＜４．２．第１の通信装置の構成＞
次に、図１６を参照して、第２の実施形態に係る第１の通信装置６００の構成の例を説明する。図１６は、第２の実施形態に係る第１の通信装置６００の概略的な構成の例を示すブロック図である。図１６を参照すると、第１の通信装置６００は、受信処理部６１０及び送信処理部６２０を備える。
【０１４１】
受信処理部６１０及び送信処理部６２０の具体的な動作は、後に説明する。
【０１４２】
受信処理部６１０及び送信処理部６２０は、１つ以上のプロセッサ（ＢＢプロセッサ及び／又は他の種類のプロセッサ等）及びメモリにより実装されてもよい。
【０１４３】
第１の通信装置６００は、プログラム（命令）を記憶するメモリと、当該プログラム（命令）を実行可能な１つ以上のプロセッサとを含んでもよい。当該１つ以上のプロセッサは、上記プログラムを実行して、受信処理部６１０及び送信処理部６２０の動作を行ってもよい。上記プログラムは、受信処理部６１０及び送信処理部６２０の動作をプロセッサに実行させるためのプログラムであってもよい。
【０１４４】
なお、当然ながら、第１の通信装置６００は、受信処理部６１０及び送信処理部６２０以外の構成要素をさらに備えてもよい。例えば、第１の通信装置６００は、第１の実施形態のデジタル装置１００が備える構成要素（例えば、インタフェース１１０、記憶部１２０、無線通信処理部１３１及び／又は生成部１３５）をさらに備えてもよい。
【０１４５】
＜４．３．第２の通信装置の構成＞
次に、図１７を参照して、第２の実施形態に係る第２の通信装置７００の構成の例を説明する。図１７は、第２の実施形態に係る第２の通信装置７００の概略的な構成の例を示すブロック図である。図１７を参照すると、第２の通信装置７００は、無線通信処理部７１０、送信処理部７２０及び受信処理部７３０を備える。
【０１４６】
無線通信処理部７１０、送信処理部７２０及び受信処理部７３０の具体的な動作は、後に説明する。
【０１４７】
無線通信処理部７１０、送信処理部７２０及び受信処理部７３０は、１つ以上のプロセッサ（ＢＢプロセッサ及び／又は他の種類のプロセッサ等）及びメモリにより実装されてもよい。
【０１４８】
第２の通信装置７００は、プログラム（命令）を記憶するメモリと、当該プログラム（命令）を実行可能な１つ以上のプロセッサとを含んでもよい。当該１つ以上のプロセッサは、上記プログラムを実行して、無線通信処理部７１０、送信処理部７２０及び受信処理部７３０の動作を行ってもよい。上記プログラムは、無線通信処理部７１０、送信処理部７２０及び受信処理部７３０の動作をプロセッサに実行させるためのプログラムであってもよい。
【０１４９】
なお、当然ながら、第２の通信装置７００は、無線通信処理部７１０、送信処理部７２０及び受信処理部７３０以外の構成要素をさらに備えてもよい。例えば、第２の通信装置７００は、第１の実施形態の無線装置２００が備える構成要素（例えば、第１インタフェース２１０、第２インタフェース２２０及び／又は記憶部２３０）をさらに備えてもよい。
【０１５０】
＜４．４．技術的特徴＞
次に、第２の実施形態の技術的特徴を説明する。
【０１５１】
（１）無線通信処理
第２の通信装置７００（無線通信処理部７１０）は、複数のアンテナ８００を介して信号を受信する。さらに、とりわけ第２の実施形態では、第２の通信装置７００（無線通信処理部７１０）は、上記複数のアンテナ８００を介して受信される信号に受信アンテナ重みを乗算する。
【０１５２】
このような無線通信処理（受信処理）についての説明は、例えば、第１の実施形態の無線通信処理（受信処理）の説明と同様である。また、送信処理についての説明も、第１の実施形態の送信処理の説明と同様であってもよい。この場合に、第２の通信装置７００（無線通信処理部７１０）は、第１の実施形態の無線装置２００（無線通信処理部２４１）と同様に動作してもよい。また、第１の通信装置６００は、第１の実施形態のデジタル装置１００（無線通信処理部１３１）と同様に動作してもよい。よって、ここでは重複する説明を省略する。
【０１５３】
なお、当然ながら、第２の実施形態は上述した例に限定されない。一例として、第１の通信装置６００ではない他の装置（デジタル装置）が、無線通信処理を行ってもよい。
【０１５４】
（２）受信アンテナ重み
とりわけ第２の実施形態では、第２の通信装置７００（送信処理部７２０）は、上記複数のアンテナ８００を介して受信される信号のチャネルに関するチャネル関連情報を第１の通信装置６００へ送信する。第１の通信装置６００（受信処理部６１０）は、第２の通信装置７００から当該チャネル関連情報を受信する。
【０１５５】
上記チャネル関連情報に基づいて、受信アンテナ重みに関する重み情報が生成される。
【０１５６】
さらに、第１の通信装置６００（送信処理部６２０）は、上記重み情報を第２の通信装置７００へ送信する。第２の通信装置７００（受信処理部７３０）は、上記重み情報を第１の通信装置６００から受信する。
【０１５７】
その後、第２の通信装置７００（無線通信処理部７１０）は、上記複数のアンテナ８００を介して受信される信号に上記受信アンテナ重みを乗算する。
【０１５８】
このような受信アンテナ重みについての説明は、例えば、第１の実施形態の受信アンテナ重みについての説明と同様である。この場合に、第２の通信装置７００（無線通信処理部７１０、送信処理部７２０及び受信処理部７３０）は、第１の実施形態の無線装置２００（無線通信処理部２４１、送信処理部２４３及び受信処理部２４５）と同様に動作してもよい。また、第１の通信装置６００（受信処理部６１０及び送信処理部６２０）は、第１の実施形態のデジタル装置１００（受信処理部１３３及び送信処理部１３７）と同様に動作してもよい。よって、ここでは重複する説明を省略する。
【０１５９】
なお、当然ながら、第２の実施形態は上述した例に限定されない。一例として、第１の通信装置６００ではない他の装置が、上記チャネル関連情報に基づいて上記重み情報を生成してもよい。
【０１６０】
（３）処理の流れ
一例として、第２の実施形態の処理は、第１の実施形態の処理と同じである。よって、ここでは重複する説明を省略する。なお、当然ながら、第２の実施形態はこの例に限定されない。
【０１６１】
以上、第２の実施形態を説明した。第２の実施形態によれば、第２の通信装置７００の回路規模と、第２の通信装置７００と他の通信装置（例えば第１の通信装置６００）との間のインタフェースの帯域との両方が、抑えられ得る。なお、第１の実施形態の第１の変形例は、第２の実施形態にも適用されてもよい。
【０１６２】
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１６３】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１６４】
また、本明細書において説明した通信装置（デジタル装置、無線装置、第１の通信装置又は第２の通信装置）の動作／処理を含む方法が提供されてもよく、当該動作／処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような方法、プログラム、及びコンピュータに読み取り可能な非一時的記録媒体も本発明に含まれる。
【０１６５】
上記実施形態の一部又は全部は、以下の付記のようにも記載され得るが、以下には限られない。
【０１６６】
（付記１）
第１の通信装置であって、
複数のアンテナを介して信号を受信する第２の通信装置から、前記複数のアンテナを介して受信される信号のチャネルに関するチャネル関連情報を受信する受信処理部と、
前記複数のアンテナを介して受信される信号に前記第２の通信装置が乗算する受信アンテナ重みに関する重み情報であって、前記チャネル関連情報に基づいて生成される当該重み情報を、前記第２の通信装置へ送信する送信処理部と、
を備える第１の通信装置。
【０１６７】
（付記２）
前記重み情報は、前記受信アンテナ重みを示す情報である、付記１に記載の第１の通信装置。
【０１６８】
（付記３）
前記重み情報は、前記受信アンテナ重みに含まれる個々の重みを示す情報を含む、付記２に記載の第１の通信装置。
【０１６９】
（付記４）
前記受信アンテナ重みは、予め定められた複数の受信アンテナ重みセットに含まれる１つの受信アンテナ重みセットであり、
前記重み情報は、前記１つの受信アンテナ重みセットを示すインデックスである、
付記２に記載の第１の通信装置。
【０１７０】
（付記５）
前記送信処理部は、前記重み情報と、前記受信アンテナ重みの使用に関する情報とを、前記第２の通信装置へ送信する、付記１〜４のいずれか１項に記載の第１の通信装置。
【０１７１】
（付記６）
前記受信アンテナ重みの使用に関する前記情報は、前記受信アンテナ重みが使用される周波数に関する周波数情報を含む、付記５に記載の第１の通信装置。
【０１７２】
（付記７）
前記周波数情報は、複数の周波数ブロックのうちの、前記受信アンテナ重みが使用される周波数ブロックを示す、付記６に記載の第１の通信装置。
【０１７３】
（付記８）
前記周波数情報は、前記受信アンテナ重みの周波数分解能を示す、付記６又は７に記載の第１の通信装置。
【０１７４】
（付記９）
前記チャネルは、端末装置と前記複数のアンテナとの間のチャネルであり、
前記受信アンテナ重みは、前記複数のアンテナを介して受信される前記端末装置からの信号に前記第２の通信装置が乗算する重みであり、
前記周波数情報は、前記端末装置に割り当てられる周波数に関する情報である、
付記６〜８のいずれか１項に記載の第１の通信装置。
【０１７５】
（付記１０）
前記受信アンテナ重みの使用に関する前記情報は、前記受信アンテナ重みが使用される時間に関する時間情報を含む、付記５に記載の第１の通信装置。
【０１７６】
（付記１１）
前記チャネルは、端末装置と前記複数のアンテナとの間のチャネルであり、
前記受信アンテナ重みは、前記複数のアンテナを介して受信される前記端末装置からの信号に前記第２の通信装置が乗算する重みであり、
前記時間情報は、前記端末装置に割り当てられる時間に関する情報である、
付記１０に記載の第１の通信装置。
【０１７７】
（付記１２）
前記チャネル関連情報は、前記複数のアンテナを介して受信されるリファレンス信号である、付記１〜１１のいずれか１項に記載の第１の通信装置。
【０１７８】
（付記１３）
前記チャネル関連情報は、前記複数のアンテナを介して受信されるリファレンス信号に基づくチャネル推定により前記第２の通信装置が算出するチャネル推定値である、付記１〜１２のいずれか１項に記載の第１の通信装置。
【０１７９】
（付記１４）
前記リファレンス信号は、時間フレームの中の特定の期間に送信されるリファレンス信号である、付記１２又は１３に記載の第１の通信装置。
【０１８０】
（付記１５）
前記時間フレームは、無線フレームであり、
前記特定の期間は、特定のシンボルである、
付記１４に記載の第１の通信装置。
【０１８１】
（付記１６）
前記リファレンス信号は、ＳＲＳ（Sounding  Reference  Signal）又はＤＭＲＳ（Demodulation  Reference  Signal）である、付記１２〜１５のいずれか１項に記載の第１の通信装置。
【０１８２】
（付記１７）
前記チャネル関連情報に基づいて前記重み情報を生成する生成部をさらに備える、付記１〜１６のいずれか１項に記載の第１の通信装置。
【０１８３】
（付記１８）
前記複数のアンテナを介して受信される信号に前記第２の通信装置が前記受信アンテナ重みを乗算することにより生成される１つ以上のレイヤの信号についての復調及び復号を行う無線通信処理部をさらに備える、付記１〜１７のいずれか１項に記載の第１の通信装置。
【０１８４】
（付記１９）
前記送信処理部は、前記複数のアンテナを介して送信する信号の生成のために前記第２の通信装置が使用する送信アンテナ重みに関する他の重み情報であって、前記チャネル関連情報に基づいて生成される当該他の重み情報を、前記第２の通信装置へ送信する、付記１〜１８のいずれか１項に記載の第１の通信装置。
【０１８５】
（付記２０）
前記受信アンテナ重みは、前記複数のアンテナを介して送信する信号の生成のためにも前記第２の通信装置が使用するアンテナ重みである、付記１〜１８のいずれか１項に記載の第１の通信装置。
【０１８６】
（付記２１）
前記第２の通信装置は、ＴＤＤ（Time  Division  Duplex）での通信を行う装置である、付記１９又は２０に記載の第１の通信装置。
【０１８７】
（付記２２）
前記信号は、アップリンク信号である、付記１〜２１のいずれか１項に記載の第１の通信装置。
【０１８８】
（付記２３）
前記第１の通信装置及び前記第２の通信装置の各々は、基地局を構成する複数の装置のうちの１つである、付記１〜２２のいずれか１項に記載の第１の通信装置。
【０１８９】
（付記２４）
前記チャネルは、端末装置と前記複数のアンテナとの間のチャネルであり、
前記受信アンテナ重みは、前記複数のアンテナを介して受信される前記端末装置からの信号に前記第２の通信装置が乗算する重みである、
付記１〜２３のいずれか１項に記載の第１の通信装置。
【０１９０】
（付記２５）
前記複数のアンテナの各々は、多素子アンテナに含まれるアンテナ素子である、付記１〜２４のいずれか１項に記載の第１の通信装置。
【０１９１】
（付記２６）
上記多素子アンテナは、マッシブＭＩＭＯ（Massive  Multiple-Input  and  Multiple-Output）用のアンテナである、付記２５に記載の第１の通信装置。
【０１９２】
（付記２７）
前記送信処理部は、通信回線を介して前記第２の通信装置から前記チャネル関連情報を受信し、
前記受信処理部は、前記通信回線を介して前記第２の通信装置へ前記重み情報を送信する、
付記１〜２６のいずれか１項に記載の第１の通信装置。
【０１９３】
（付記２８）
前記通信回線は、光ファイバ回線である、付記２７に記載の第１の通信装置。
【０１９４】
（付記２９）
前記第２の通信装置は、前記第１の通信装置とは物理的に分離された装置である、付記１〜２８のいずれか１項に記載の第１の通信装置。
【０１９５】
（付記３０）
前記第２の通信装置は、前記複数のアンテナに接続される装置であり、
前記第１の通信装置は、前記第２の通信装置に接続される装置である、
付記１〜２９のいずれか１項に記載の第１の通信装置。
【０１９６】
（付記３１）
前記第１の通信装置は、屋内に設置される装置であり、
前記第２の通信装置は、屋外に設置される装置である、
付記１〜３０のいずれか１項に記載の第１の通信装置。
【０１９７】
（付記３２）
第２の通信装置であって、
複数のアンテナを介して信号を受信する無線通信処理部と、
前記複数のアンテナを介して受信される信号のチャネルに関するチャネル関連情報を第１の通信装置へ送信する送信処理部と、
受信アンテナ重みに関する重み情報であって、前記チャネル関連情報に基づいて生成される当該重み情報を、前記第１の通信装置から受信する受信処理部と、
を備え、
前記無線通信処理部は、前記複数のアンテナを介して受信される信号に前記受信アンテナ重みを乗算する、
第２の通信装置。
【０１９８】
（付記３３）
複数のアンテナを介して信号を受信する通信装置から、前記複数のアンテナを介して受信される信号のチャネルに関するチャネル関連情報を受信することと、
前記複数のアンテナを介して受信される信号に前記通信装置が乗算する受信アンテナ重みに関する重み情報であって、前記チャネル関連情報に基づいて生成される当該重み情報を、前記通信装置へ送信することと、
を含む方法。
【０１９９】
（付記３４）
複数のアンテナを介して信号を受信することと、
前記複数のアンテナを介して受信される信号のチャネルに関するチャネル関連情報を通信装置へ送信することと、
受信アンテナ重みに関する重み情報であって、前記チャネル関連情報に基づいて生成される当該重み情報を、前記通信装置から受信することと、
前記複数のアンテナを介して受信される信号に前記受信アンテナ重みを乗算することと、
を含む方法。
【０２００】
（付記３５）
複数のアンテナを介して信号を受信する通信装置から、前記複数のアンテナを介して受信される信号のチャネルに関するチャネル関連情報を受信することと、
前記複数のアンテナを介して受信される信号に前記通信装置が乗算する受信アンテナ重みに関する重み情報であって、前記チャネル関連情報に基づいて生成される当該重み情報を、前記通信装置へ送信することと、
をプロセッサに実行させるプログラム。
【０２０１】
（付記３６）
複数のアンテナを介して信号を受信することと、
前記複数のアンテナを介して受信される信号のチャネルに関するチャネル関連情報を通信装置へ送信することと、
受信アンテナ重みに関する重み情報であって、前記チャネル関連情報に基づいて生成される当該重み情報を、前記通信装置から受信することと、
前記複数のアンテナを介して受信される信号に前記受信アンテナ重みを乗算することと、
をプロセッサに実行させるプログラム。
【０２０２】
（付記３７）
複数のアンテナを介して信号を受信する通信装置から、前記複数のアンテナを介して受信される信号のチャネルに関するチャネル関連情報を受信することと、
前記複数のアンテナを介して受信される信号に前記通信装置が乗算する受信アンテナ重みに関する重み情報であって、前記チャネル関連情報に基づいて生成される当該重み情報を、前記通信装置へ送信することと、
をプロセッサに実行させるプログラムを記録したコンピュータに読み取り可能な非一時的記録媒体。
【０２０３】
（付記３８）
複数のアンテナを介して信号を受信することと、
前記複数のアンテナを介して受信される信号のチャネルに関するチャネル関連情報を通信装置へ送信することと、
受信アンテナ重みに関する重み情報であって、前記チャネル関連情報に基づいて生成される当該重み情報を、前記通信装置から受信することと、
前記複数のアンテナを介して受信される信号に前記受信アンテナ重みを乗算することと、
をプロセッサに実行させるプログラムを記録したコンピュータに読み取り可能な非一時的記録媒体。
【０２０４】
（付記３９）
第１の通信装置と、
第２の通信装置と、
を含み、
前記第２の通信装置は、
複数のアンテナを介して信号を受信し、
前記複数のアンテナを介して受信される信号のチャネルに関するチャネル関連情報を前記第１の通信装置へ送信し、
前記第１の通信装置は、
前記第２の通信装置から前記チャネル関連情報を受信し、
受信アンテナ重みに関する重み情報であって、前記チャネル関連情報に基づいて生成される当該重み情報を、前記第２の通信装置へ送信し、
前記第２の通信装置は、
前記重み情報を前記第１の通信装置から受信し、
前記複数のアンテナを介して受信される信号に前記受信アンテナ重みを乗算する、
システム。
【０２０５】
（付記４０）
第２の通信装置において、
複数のアンテナを介して信号を受信することと、
前記複数のアンテナを介して受信される信号のチャネルに関するチャネル関連情報を第１の通信装置へ送信することと、
前記第１の通信装置において、
前記第２の通信装置から前記チャネル関連情報を受信することと、
受信アンテナ重みに関する重み情報であって、前記チャネル関連情報に基づいて生成される当該重み情報を、前記第２の通信装置へ送信することと、
前記第２の通信装置において、
前記重み情報を前記第１の通信装置から受信することと、
前記複数のアンテナを介して受信される信号に前記受信アンテナ重みを乗算することと、
を含む方法。
【０２０６】
この出願は、２０１７年３月２２日に出願された日本出願特願２０１７−０５５７２６を基礎とする優先権を主張し、その開示の全てをここに取り込む。
【産業上の利用可能性】
【０２０７】
移動体通信システムにおいて、アンテナを介して信号を受信する装置の回路規模と装置間インタフェースの帯域との両方を抑制することができる。
【符号の説明】
【０２０８】
１、２          システム
１０            基地局
２１、２３      通信回線
４０            端末装置
１００          デジタル装置
１３１          無線通信処理部
１３３、６１０  受信処理部
１３５          生成部
１３７、６２０  送信処理部
２００          無線装置
２４１、７１０  無線通信処理部
２４３、７２０  送信処理部
２４５、７３０  受信処理部
３００、８００  アンテナ
４１１          チャネル推定部
４１３          アンテナ重み生成部
６００          第１の通信装置
７００          第２の通信装置
１００１      時間フレーム
１００３      特定の期間
１０１１      リファレンス信号
【図１】
2018173891.tif 000003
【図２】
2018173891.tif 000004
【図３】
2018173891.tif 000005
【図４】
2018173891.tif 000006
【図５】
2018173891.tif 000007
【図６】
2018173891.tif 000008
【図７】
2018173891.tif 000009
【図８】
2018173891.tif 000010
【図９】
2018173891.tif 000011
【図１０】
2018173891.tif 000012
【図１１】
2018173891.tif 000013
【図１２】
2018173891.tif 000014
【図１３】
2018173891.tif 000015
【図１４】
2018173891.tif 000016
【図１５】
2018173891.tif 000017
【図１６】
2018173891.tif 000018
【図１７】
2018173891.tif 000019
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
第１の通信装置であって、
複数のアンテナを介して信号を受信する第２の通信装置から、リファレンス信号を受信する受信処理部と、
前記リファレンス信号に基づいてチャネル推定を行うチャネル推定部と、
前記複数のアンテナを介して受信される信号に前記第２の通信装置が乗算する受信アンテナ重みに関する重み情報を、前記第２の通信装置へ送信する送信処理部と、
を備える第１の通信装置。
【請求項２】
前記重み情報は、前記受信アンテナ重みを示す情報である、請求項１に記載の第１の通信装置。
【請求項３】
前記重み情報は、前記受信アンテナ重みに含まれる個々の重みを示す情報を含む、請求項２に記載の第１の通信装置。
【請求項４】
前記受信アンテナ重みは、予め定められた複数の受信アンテナ重みセットに含まれる１つの受信アンテナ重みセットであり、
前記重み情報は、前記１つの受信アンテナ重みセットを示すインデックスである、
請求項２に記載の第１の通信装置。
【請求項５】
前記重み情報は、前記チャネル推定で算出したチャネル推定値に基づいて生成される、請求項１〜４のいずれか１項に記載の第１の通信装置。
【請求項６】
前記リファレンス信号は、時間フレームの中の特定の期間に送信されるリファレンス信号である、請求項１〜５のいずれか１項に記載の第１の通信装置。
【請求項７】
第２の通信装置であって、
複数のアンテナを介して信号を受信する無線通信処理部と、
第１の通信装置が行うチャネル推定に用いるリファレンス信号を、前記第１の通信装置へ送信する送信処理部と、
受信アンテナ重みに関する重み情報を前記第１の通信装置から受信する受信処理部と、
を備え、
前記無線通信処理部は、前記複数のアンテナを介して受信される信号に前記受信アンテナ重みを乗算する、
第２の通信装置。
【請求項８】
複数のアンテナを介して信号を受信する通信装置から、リファレンス信号を受信することと、
前記リファレンス信号に基づいてチャネル推定を行うことと、
前記複数のアンテナを介して受信される信号に前記通信装置が乗算する受信アンテナ重みに関する重み情報を、前記通信装置へ送信することと、
を含む方法。
【請求項９】
第１の通信装置と、
第２の通信装置と、
を含み、
前記第２の通信装置は、
複数のアンテナを介して信号を受信し、
リファレンス信号を前記第１の通信装置へ送信し、
前記第１の通信装置は、
前記第２の通信装置から前記リファレンス信号を受信し、
前記リファレンス信号に基づいてチャネル推定を行い、
受信アンテナ重みに関する重み情報を、前記第２の通信装置へ送信し、
前記第２の通信装置は、
前記重み情報を前記第１の通信装置から受信し、
前記複数のアンテナを介して受信される信号に前記受信アンテナ重みを乗算する、
システム。
【手続補正２】
【補正対象書類名】明細書
【補正対象項目名】００６４
【補正方法】変更
【補正の内容】
【００６４】
無線装置２００は、プログラム（命令）を記憶するメモリと、当該プログラム（命令）を実行可能な１つ以上のプロセッサとを含んでもよい。当該１つ以上のプロセッサは、上記プログラムを実行して、処理部２４０の動作（無線通信処理部２４１、送信処理部２４３及び／又は受信処理部２４５の動作）を行ってもよい。上記プログラムは、処理部２４０の動作（無線通信処理部２４１、送信処理部２４３及び／又は受信処理部２４５の動作）をプロセッサに実行させるためのプログラムであってもよい。
【国際調査報告】
2018173891.tif 000020
2018173891.tif 000021
2018173891.tif 000022